(57)【要約】【課題】外装ケースの天板上の雨水が排気カバーの上向き排気開口部に多量に流れ込むことを、構成が簡易な手段によって適切に抑制することが可能な温水装置を提供する。【解決手段】湯水加熱用の熱源機５を内部に収容する外装ケース１と、この外装ケース１のフロントカバー１０の前面側に取り付けられ、かつ排気口５５から排出される排ガスの進行方向を上向きに変更して外部に排出させるための上向き排気開口部３１を有する排気カバー３と、を備えている、温水装置Ａであって、排気カバー３の上部には、天板１３と上向き排気開口部３１との間を仕切り、かつ天板１３の上面よりも高い高さの仕切壁３９が設けられ、天板１３上の雨水が排気カバー３に向けて流れた際にこの雨水が上向き排気開口部３１に流れ込むことを仕切壁３９によって抑制可能である。【選択図】  図４
2014199170.tif 000002
【特許請求の範囲】
【請求項１】
湯水加熱用の熱源機を内部に収容し、かつこの熱源機の排気口を外部に露出または連通させるための開口部がフロントカバーに設けられている外装ケースと、
前記フロントカバーの前面側に取り付けられ、かつ前記排気口から排出される排ガスの進行方向を上向きに変更して外部に排出させるための上向き排気開口部を有する排気カバーと、
を備えている、温水装置であって、
前記排気カバーの上部には、前記外装ケースの天板と前記排気カバーの上向き排気開口部との間を仕切り、かつ前記天板の上面よりも高い高さの仕切壁が設けられ、
前記天板上の雨水が前記排気カバーに向けて流れたときに、この雨水が前記上向き排気開口部に流れ込むことを前記仕切壁によって抑制可能な構成とされていることを特徴とする、温水装置。
【請求項２】
湯水加熱用の熱源機を内部に収容し、かつこの熱源機の排気口を外部に露出または連通させるための開口部がフロントカバーに設けられている外装ケースと、
前記フロントカバーの前面側に取り付けられ、かつ前記排気口から排出される排ガスの進行方向を上向きに変更して外部に排出させるための上向き排気開口部を有する排気カバーと、
を備えている、温水装置であって、
前記排気カバーの上向き排気開口部は、前記外装ケースの天板の上面よりも高い位置に設けられ、前記外装ケースの天板上の雨水が前記排気カバーに向けて流れたときに、この雨水が前記上向き排気開口部に流れ込むことを抑制可能な構成とされていることを特徴とする、温水装置。
【請求項３】
湯水加熱用の熱源機を内部に収容し、かつこの熱源機の排気口を外部に露出または連通させるための開口部がフロントカバーに設けられている外装ケースと、
前記フロントカバーの前面側に取り付けられ、かつ前記排気口から排出される排ガスの進行方向を上向きに変更して外部に排出させるための上向き排気開口部を有する排気カバーと、
を備えている、温水装置であって、
前記上向き排気開口部は、前記外装ケースの天板の上面と略同一高さとされ、
前記排気カバーの上部は、前記外装ケースの天板との間に隙間を形成するように設けられ、前記天板上の雨水が前記排気カバー寄りに流れてきたときに、この雨水が前記隙間から下方に流れ落ちることにより前記上向き排気開口部に流れ込むことを抑制可能な構成とされていることを特徴とする、温水装置。
【請求項４】
請求項１ないし３のいずれかに記載の温水装置であって、
前記熱源機は、バーナにより発生させた燃焼ガスから熱交換器を利用して顕熱および潜熱を回収可能な潜熱回収型の熱源機であり、
前記排気カバー内に前記上向き排気開口部から進入した雨水、ならびに前記排気口から前記排気カバー内に飛散したドレン水は、前記熱源機の排気口から前記熱源機の内部に流入可能であり、
前記熱源機内に流入した雨水ならびにドレン水は、ドレン水用の中和器に導かれて廃棄処理されるように構成されている、温水装置。
【発明の詳細な説明】
【技術分野】
【０００１】
本発明は、貯湯式給湯装置や瞬間式給湯装置などの温水装置に関する。
【背景技術】
【０００２】
温水装置の一例として、特許文献１に記載のものがある。
同文献に記載の温水装置は、湯水加熱用の熱源機を囲む外装ケースを備えており、この外装ケースのフロントカバーの前面側には、排気カバーが取り付けられている。フロントカバーには、略水平方向を向く排気口が設けられており、排気カバーは、この排気口から排出される排ガスの進行方向を上向きに変更する役割を果たす。温水装置を設置する場合において、排気口の正面に向けて排ガスを排出することが望ましくない場合があり、排気カバーはそのような場合に有効である。
【０００３】
しかしながら、前記従来技術においては、次のような不具合があった。
【０００４】
排気カバーには、排ガスを上向きに排出するための上向き排気開口部が設けられているが、従来においては、この上向き排気開口部が外装ケースの天板に隣接し、しかも天板の上面と略同一高さに設けられている。
ところが、このような構成によれば、温水装置を屋外に設置している場合において、雨天時に外装ケースの天板上に溜まった多量の雨水が、強風に吹かれて天板上を流れてから、上向き排気開口部に一斉に流れ込む虞がある。このような現象を生じると、多量の雨水が排気カバーから熱源機の内部に進入し、熱源機に不具合を生じる虞がある。前記したような温水装置では、雨天時に排気カバーの上向き排気開口部内に雨水が降り込むために、熱源機にはそれに対処するための手段が講じられているのが通例であるが、従来では、天板上に溜まった多量の雨水が熱源機に進入すること迄は想定されておらず、適切な対応策が採られていないのが実情である。温水装置としては、熱源機に加えて貯湯タンクなども外装ケース内に収容された貯湯式温水装置があるが、このような貯湯式温水装置は、天板のサイズがかなり大きく、天板上に多くの雨水が溜まり易いため、前記の不具合はより顕著となる。
【先行技術文献】
【特許文献】
【０００５】
【特許文献１】実開平１−１２９５５７号公報
【発明の概要】
【発明が解決しようとする課題】
【０００６】
本発明は、前記したような事情のもとで考え出されたものであり、外装ケースの天板上の雨水が排気カバーの上向き排気開口部に多量に流れ込むことを、構成が簡易な手段によって適切に抑制することが可能な温水装置を提供することを、その課題としている。
【課題を解決するための手段】
【０００７】
上記の課題を解決するため、本発明では、次の技術的手段を講じている。
【０００８】
本発明の第１の側面により提供される温水装置は、湯水加熱用の熱源機を内部に収容し、かつこの熱源機の排気口を外部に露出または連通させるための開口部がフロントカバーに設けられている外装ケースと、前記フロントカバーの前面側に取り付けられ、かつ前記排気口から排出される排ガスの進行方向を上向きに変更して外部に排出させるための上向き排気開口部を有する排気カバーと、を備えている、温水装置であって、前記排気カバー
の上部には、前記外装ケースの天板と前記排気カバーの上向き排気開口部との間を仕切り、かつ前記天板の上面よりも高い高さの仕切壁が設けられ、前記天板上の雨水が前記排気カバーに向けて流れたときに、この雨水が前記上向き排気開口部に流れ込むことを前記仕切壁によって抑制可能な構成とされていることを特徴としている。
【０００９】
本発明の第２の側面により提供される温水装置は、湯水加熱用の熱源機を内部に収容し、かつこの熱源機の排気口を外部に露出または連通させるための開口部がフロントカバーに設けられている外装ケースと、前記フロントカバーの前面側に取り付けられ、かつ前記排気口から排出される排ガスの進行方向を上向きに変更して外部に排出させるための上向き排気開口部を有する排気カバーと、を備えている、温水装置であって、前記排気カバーの上向き排気開口部は、前記外装ケースの天板の上面よりも高い位置に設けられ、前記外装ケースの天板上の雨水が前記排気カバーに向けて流れたときに、この雨水が前記上向き排気開口部に流れ込むことを抑制可能な構成とされていることを特徴としている。
【００１０】
本発明の第３の側面により提供される温水装置は、湯水加熱用の熱源機を内部に収容し、かつこの熱源機の排気口を外部に露出または連通させるための開口部がフロントカバーに設けられている外装ケースと、前記フロントカバーの前面側に取り付けられ、かつ前記排気口から排出される排ガスの進行方向を上向きに変更して外部に排出させるための上向き排気開口部を有する排気カバーと、を備えている、温水装置であって、前記上向き排気開口部は、前記外装ケースの天板の上面と略同一高さとされ、前記排気カバーの上部は、前記外装ケースの天板との間に隙間を形成するように設けられ、前記天板上の雨水が前記排気カバー寄りに流れてきたときに、この雨水が前記隙間から下方に流れ落ちることにより前記上向き排気開口部に流れ込むことを抑制可能な構成とされていることを特徴としている。
【００１１】
このような構成を有する本発明の温水装置によれば、外装ケースの天板上に溜まった雨水が強風に吹かれるなどして排気カバーに向けて流れたとしても、この雨水が排気カバーの上向き排気開口部に流れ込むことは適切に抑制される。したがって、排気カバーから熱源機の内部に多量の雨水が一斉に流入することはなく、多量の雨水の一斉流入に起因して熱源機などに不具合を生じることが適切に解消される。
【００１２】
本発明において、好ましくは、前記熱源機は、バーナにより発生させた燃焼ガスから熱交換器を利用して顕熱および潜熱を回収可能な潜熱回収型の熱源機であり、前記排気カバー内に前記上向き排気開口部から進入した雨水、ならびに前記排気口から前記排気カバー内に飛散したドレン水は、前記熱源機の排気口から前記熱源機の内部に流入可能であり、前記熱源機内に流入した雨水ならびにドレン水は、ドレン水用の中和器に導かれて廃棄処理されるように構成されている。
【００１３】
このような構成によれば、ドレン水および雨水の排水（廃棄）処理を適切に行なうことができる。既述したように、本発明によれば、熱源機内に多量の雨水が一斉に流入することは回避されるために、中和器の処理能力を超えて、中和器に雨水が供給されてしまうといった不具合は適切に防止される。
【００１４】
本発明のその他の特徴および利点は、添付図面を参照して以下に行なう発明の実施の形態の説明から、より明らかになるであろう。
【図面の簡単な説明】
【００１５】
【図１】本発明に係る温水装置の一例を示す外観斜視図である。
【図２】図１の要部分解斜視図である。
【図３】図１に示す温水装置の内部構造の概要を示す説明図である。
【図４】（ａ）は、図１のIV−IV断面図であり、（ｂ）は、（ａ）の分解断面図である。
【図５】（ａ）は、図１のＶ−Ｖ断面図であり、（ｂ）は、（ａ）の分解断面図である。
【図６】図１に示す温水装置のフロントカバーと取付具とを示す要部斜視図である。
【図７】（ａ）は、図１の温水装置のフロントカバーに取付具を取り付けた状態を示す要部斜視図であり、（ｂ）は、（ａ）のVIIb−VIIb断面図であり、（ｃ）は、（ａ）の矢視VIIc平面図である。
【図８】（ａ）は、図１に示す温水装置の取付具を示す斜視図であり、（ｂ）は、（ａ）とは異なる方向からの斜視図であり、（ｃ）は、（ａ）の平面図である。
【図９】本発明の他の例を示す要部断面図である。
【図１０】本発明の他の例を示す要部断面図である。
【発明を実施するための形態】
【００１６】
以下、本発明の好ましい実施の形態について、図面を参照して具体的に説明する。
【００１７】
図１および図２に示す本実施形態の温水装置Ａは、貯湯式温水装置であり、たとえばヒートポンプや燃料電池の湯水加熱部などの主熱源機（図示略）に配管接続されて用いられるものである。この温水装置Ａは、外装ケース１を備えており、そのフロントカバー１０の上部には、左右一対の取付具２を介して排気カバー３が取り付けられている。
【００１８】
図３に示すように、外装ケース１内には、貯湯タンク４および熱源機５（補助熱源機）が収容されている。貯湯タンク４は、前記主熱源機によって加熱された湯水を貯留し、所定の給湯栓が開状態とされた際にこの給湯栓への出湯が可能である。熱源機５は、貯湯タンク４に貯留されている湯水が目標給湯温度に満たない場合などに湯水加熱を行なうためのものである。この熱源機５は、ファン５０から燃焼用空気の供給を受けて燃料ガスを燃焼させるバーナ５１、このバーナ５１により発生された燃焼ガスから顕熱および潜熱を順次回収して湯水加熱を行なうための１次および２次熱交換器５２ａ，５２ｂ、ならびに２次熱交換器５２ｂを通過した燃焼ガスが内部に流入する排気集合筒５３を有している。排気集合筒５３には、フロントカバー１０に設けられた開口部１１を介して外部に突出する排気トップ５４が設けられている。この排気トップ５４の先端開口部は、熱源機５の排気口５５である。２次熱交換器５２ｂの下側には、潜熱回収に伴って発生する強酸性のドレン水（凝縮水）を受けるドレン水受け部材５６が設けられ、このドレン水受け部材５６によって受けられたドレン水は、中和器５７に送られ、中和処理されてから廃棄される。外装ケース１は、フロントカバー１０に加え、複数の側板１２や天板１３を有している。
【００１９】
排気カバー３は、排気口５５から排出される排ガスの進行方向を上向きに規定（変更）するためのものであり、平面視矩形状の上向き排気開口部３１が上面部に形成されたケース状である。上向き排気開口部３１の一側縁部には、仕切壁３９が設けられており、後述するように、外装ケース１の天板１３から排気カバー３側に流れてくる雨水を仕切壁３９によって遮ることが可能となっている。排気用開口部３１には、落ち葉やゴミ類などが排気カバー３内に進入することを防止するためのエキスパンドメタルなどの網状部材３２が設けられている。
【００２０】
排気カバー３の背面壁部３６の下部寄りの位置には、排気口５５から排出されてくる排ガスを排気カバー３内に導入させるための排ガス導入口３０が設けられており、排気カバー３内に導入した排ガスは、上向き排気開口部３１を上向きに通過して外部に排出される。排気カバー３は、その内部に雨水が進入した際には、この排気カバー３の底壁部上から排ガス導入口３０、排気口５５に雨水を通過させて、熱源機５の排気集合筒５３内に進入させ得るように構成されている。排気口５５から排気カバー３内に排出される排ガス中に
は、潜熱回収に伴って発生した強酸性のドレン水が含まれている場合があり、排気カバー３中にドレン水が飛散し、溜まる場合がある。このようなドレン水も、前記雨水と同様に、排ガス導入口３０を通過して排気集合筒５３内に流入する。このようにして排気集合筒５３内に流入した雨水やドレン水は、その後に２次熱交換器５２ｂ側に流れ落ちてからドレン水受け部材５６によって受けられ、中和器５７に導かれる。
【００２１】
一対の取付具２は、排気カバー３をフロントカバー１０に取り付けるためのものである。これらの取付具２は、まず図６および図７に示すように、フロントカバー１０の上部の左右両側縁部１０ｂ寄りの位置に取り付けられる。次いで、これらの取付具２に排気カバー３が取り付けられる。
この点を具体的に説明すると、一対の取付具２は、左右対称であり、フロントカバー１０への取り付けは、フロントカバー１０を外装ケース１の所定位置に組み付けていない状態で行なわれる。
【００２２】
各取付具２は、たとえば板金製であり、前板部２０、水平板部２３、第１の係止部２１、および第２の係止部２２を有している（図８も参照）。第１の係止部２１は、フック状であり、図７（ａ），（ｂ）に示すように、第１の係止部２１をフロントカバー１０の上縁部１０ａに係止させることにより、取付具２を吊り下げた状態に支持することが可能である。図４および図５に示すように、フロントカバー１０の上側に天板１３を装着した状態においては、第１の係止部２１が上方に移動することが天板１３により規制される。
【００２３】
図７および図８において、第２の係止部２２は、前板部２０の外側縁に繋がった側板部２２ａ、この側板部２２ａの先端縁に屈曲して繋がった屈曲板部２２ｂ、およびこの屈曲板部２２ｂの先端縁からさらに屈曲した先端板部２２ｃからなる。この第２の係止部２２は、図７（ａ），（ｃ）によく表われているように、フロントカバー１０の側縁部１０ｂに係止可能であり、側板部２２ａおよび先端板部２２ｃ間にフロントカバー１０の側縁部１０ｂの端末部１０ｂ’を挟むことにより、取付具２のフロントカバー１０の左右幅方向における位置規制が図られる。また、屈曲板部２２ｂがフロントカバー１０の端末部１０ｂ’の背面側に位置することにより、取付具２がフロントカバー１０の前方に位置ずれすることが規制される。
【００２４】
前記した一対の取付具２に対し、排気カバー３を取り付けるための手段として、排気カバー３の背面壁部３６には、フロントカバー１０側に向けて突出する突出部３４が設けられている。さらに、図５に示す係止用突起部３５や、ビス止め用の孔部３８も設けられている。図４に示すように、突出部３４は、取付具２の水平板部２３に載せられる。その際、図５に示すように、係止用突起部３５については、取付具２の前板部２０の上縁部（上縁部のうち、水平板部２３が設けられていない部分）に係止される。このことにより、突出部３４が水平板部２３から脱落しないようにし、取付具２に対する排気カバー３の一応の取り付けを図ることができる。突出部３４は、たとえば排気カバー３の長手方向に延びた形態であり、一対の取付具２の双方の水平板部２３上に跨がった状態に載せることが可能である。係止用突起部３５は、一対の取付具２に対応し、排気カバー３の左右幅方向（長手方向）の両端部のそれぞれに設けられている。
【００２５】
前記した取り付けの後には、図５に示すように、孔部３８，２４、およびビス９を利用し、排気カバー３の背面壁部３６を取付具２の前板部２０にビス止めする。このビス止めにより、取付具２に対する排気カバー３の固定が確実化され、がたつき防止が図られる。ビス止めは、突出部３４や係止用突起部３５を利用して排気カバー３を取付具２に取り付けた状態で行なうことができるために、排気カバー３を片手で持ちながらビス止め作業を行なうような煩わしさはない。
【００２６】
図４において、排気カバー３の背面壁部３６に設けられた矩形枠状部３７ａ内には、シール用パッキン３７が保持されている。このシール用パッキン３７は、排ガス導入口３０に対向する箇所が孔部とされた枠状であり、排ガス導入口３０の周縁部と排気口５５の周縁部との間に介装され、この部分の気密シールを図っている。このことにより、排ガスや排ガス中に含まれているドレン水の外部への漏れが適切に防止される。
【００２７】
図４（ａ）に示すように、排気カバー３の取り付け状態においては、天板１３の上面と上向き排気開口部３１とは略同一高さであるが、仕切壁３９は、天板１３の上面よりも適当な寸法Ｈ１だけ高い高さにあり、天板１３と上向き排気開口部３１との間を仕切っている。仕切壁３９は、好ましくは、上向き排気開口部３１の長さ（同図の紙面と直交する方向の長さ）以上の長さとされている。仕切壁３９は、排気カバー３の背面壁部３６の一部をそのまま上方に延ばして設けられ、あるいは背面壁部３６に別体の板状部材を接合するなどして設けられている。排気カバー３の上部は天板１３から離間した配置に設けられており、排気カバー３の上部と天板１３との間には、適当な幅の隙間６が形成されている。
【００２８】
次に、前記した温水装置Ａの作用について説明する。
【００２９】
まず、温水装置Ａが屋外に設置された状態において、雨天時に天板１３上に雨水が溜まり、この雨水が強風に吹かれて排気カバー３側に一斉に流れていく場合があり得る。このような状況が生じた場合、前記の雨水の殆どは、隙間６内に流れ落ちる。また、かなりの強風が吹いた場合には、隙間６を飛び越えるように雨水が流れる場合があるが、このような雨水は仕切壁３９にあたってから隙間６内に流れ落ちる。このようなことから、天板１３上の多量の雨水が上向き排気開口部３１内に流れ込むことは適切に防止される。
【００３０】
排気カバー３内に雨水が入った場合には、既述したように、この雨水は排気集合筒５３内に流入してから中和器５７に送られる。天板１３上に溜まっていた大量の雨水が排気カバー３内に一斉に流入すると、この流入量が中和器５７の能力を超えてしまい、たとえばドレン水受け部材５６から中和器５７への注水が困難となって、雨水がドレン水受け部材５６の外部に溢れだすといった不測の事態を生じかねない。これに対し、本実施形態の温水装置Ａによれば、そのような事態を適切に防止することが可能である。
【００３１】
図９および図１０は、本発明の他の実施形態を示している。これらの図において、前記実施形態と同一または類似の要素には、前記実施形態と同一の符号を付している。
【００３２】
図９に示す実施形態においては、排気カバー３に仕切壁３９は設けられていない。ただし、排気カバー３の上向き排気開口部３１は、天板１３の上面よりも適当な寸法Ｈ２だけ高い配置とされている。
本実施形態によれば、天板１３上に溜まった雨水が排気カバー３側に進行した場合に、やはりこの雨水が上向き排気開口部３１に流れ込むことを適切に防止することが可能である。
【００３３】
図１０に示す実施形態においては、上向き排気開口部３１が天板１３の上面と略同一高さであり、かつ前記した仕切壁３９は設けられていない。ただし、排気カバー３の上部と天板１３との間には、隙間６が形成されている。このような構成によれば、天板１３上の雨水が排気カバー３側に進行した際に、この雨水の多くを隙間６内に流れ落とすことができる。雨水の勢いが強い場合には、雨水の一部が隙間６を飛び越えて上向き排気開口部３１に流入する虞はあるが、隙間６が形成されていない場合と比較すると、上向き排気開口部３１に流入する雨水の量をかなり減らすことが可能であり、本発明が意図する目的を達成することが可能である。
【００３４】
上述した実施形態から理解されるように、本発明においては、仕切壁３９を設ける第１の手段、上向き排気開口部３１を天板１３の上面よりも高くする第２の手段、および排気カバー３の上部を天板１３から離間させてこれらの間に隙間６を形成する第３の手段のうち、少なくともいずれか１つの手段が採用されていればよい。これら第１ないし第３の手段の全て、あるいはいずれか２つの手段を組み合わせ適用してもよいことは勿論である。
【００３５】
本発明は、上述した実施形態の内容に限定されない。本発明に係る温水装置の各部の具体的な構成は、本発明の意図する範囲内において種々に設計変更自在である。
【００３６】
フロントカバーに排気カバーを取り付けるための手段は、一対の取付具２を利用する手段に限定されず、たとえば前記以外の構造の取付具を利用する手段、あるいは取付具を用いることなく排気カバーを外装ケースにビス止めするなどの手段を採用してもよい。
【００３７】
上述の実施形態では、熱源機５の排気口５５をフロントカバー１０の開口部１１からその正面に露出（排気トップ５４を突出）させているが、これに代えて、たとえば熱源機５の排気口５５をフロントカバー１０の正面に露出させない構成とすることもできる。本発明に係る温水装置は、貯湯タンクと補助熱源機とを備えたものに限らない。たとえば貯湯タンクを具備しないタイプの温水装置として構成することもできる。
【符号の説明】
【００３８】
Ａ  温水装置
１  外装ケース
１０  フロントカバー
１１  開口部（フロントカバーの）
１３  天板
３  排気カバー
３０  排ガス導入口
３１  上向き排気開口部
３９  仕切壁
５  熱源機
５５  排気口
６  隙間
【図１】
2014199170.tif 000003
【図２】
2014199170.tif 000004
【図３】
2014199170.tif 000005
【図４】
2014199170.tif 000006
【図５】
2014199170.tif 000007
【図６】
2014199170.tif 000008
【図７】
2014199170.tif 000009
【図８】
2014199170.tif 000010
【図９】
2014199170.tif 000011
【図１０】
2014199170.tif 000012